(57)【要約】      （修正有）【課題】プロジェクター及びプロジェクター支持装置を磁性体の壁面に取付け可能とする取付け方法を提供する。【解決手段】固定装置３の前面中央にベースプレート部９を設け、前記ベースプレート部９には、支持装置取付け孔を複数設け、前記固定装置の下部に水平確認孔５を設け、前記水平確認孔５から確認できる位置及び前記固定装置３に対して水平に気泡管水平器を取付け、前記固定装置３の下端部の中央に滑り止めストッパー６を取付け、前記固定装置３の壁面側下部の中央部に一つ又は複数のスイッチ式磁石８を取付け、前記ベースプレート部と結束した配線を通した前記プロジェクター支持装置２を固定し、スイッチ式磁石のスイッチ８を入れて吸着させ、前記滑り止めストッパー６で固定する。取り外しは、前記スイッチ式磁石のスイッチ８を切り、前記取り外し部７を使用して取り外す。【選択図】図１
2014222257.tif 000002
【特許請求の範囲】
【請求項１】
プロジェクターの壁面固定において、固定装置の中央にベースプレート部を設け、前記ベースプレート部には、プロジェクター支持装置に対応する位置に支持装置取付け孔を設け、前記支持装置取付け孔の壁面側に、ナットが固定されており、前記ベースプレート部の中央部には前記ベースプレート部及び前記固定装置を貫通する配線孔を設け、前記固定装置の左右側面の中央に配線溝を設け、前記固定装置の壁面側の前記配線孔及び前記ナットを避け、且つ前記配線孔から前記配線溝まで配線を通すことが可能な間隔を空け、前記プロジェクター及び前記プロジェクター支持装置を保持できる複数の磁石を取付け、前記固定装置の壁面側の下部中央に磁石と異なる位置に、スイッチ式磁石のスイッチ部分が前記固定装置の表面に出るように一つ又は複数取付けてあり、結束した配線を通した前記プロジェクター支持装置と前記ベースプレート部を固定したプロジェクター。
【請求項２】
結束した配線の片側を配線孔に通し、固定装置の壁面側に出し、一方の配線溝まで通し、配線溝に嵌めこみ、固定装置の外側に出すことを特徴とした請求項１に記載のプロジェクター。
【請求項３】
固定装置の下側に水平確認孔を設け、水平確認孔から視認できる位置且つ固定装置に対して水平に気泡管水平器を固定装置の壁面側から取付け、磁性体壁面に設置された固定装置を、気泡管水平器を目安に水平に調整ができることを特徴とする請求項１又は請求項２に記載のプロジェクター。
【請求項４】
固定装置の側面に取り外し部を備え、取り外し部を使用し磁石の一部を磁性体壁面から離すことで、取り外しが容易に行え、可搬できることを特徴とする請求項１乃至請求項３のいずれかに記載のプロジェクター。
【請求項５】
固定装置の下端部に滑り止めストッパーを備え、滑り止めストッパーにより、振動などによるズレや重力方向への下がりを防止すること特徴とする請求項１乃至請求項４のいずれかに記載のプロジェクター。
【請求項６】
プロジェクターの壁面設置において、請求項１乃至請求項５のいずれかに記載のプロジェクターを、磁性体壁面の任意の位置又は投写画面に応じた高さ及び位置に設置することを特徴とする設置方法。
【発明の詳細な説明】
【技術分野】
【０００１】
本発明は、プロジェクターの設置において水平に取付けが可能、且つ容易に設置位置の変更が可能であり、可搬性に優れたプロジェクターに関するものである。
【背景技術】
【０００２】
プロジェクターの設置方法として、天吊り設置、壁掛け設置、平置き設置が知られている。従来、平置き設置が一般的であり、社内の会議室や応接室など、様々な場所に移動して使用が可能であるため、プロジェクターを複数台所有する必要がなくコストがかからない等利便性がある。また、近年では常設となる天吊り設置、壁掛け設置による設置が増加している。天吊り設置及び壁掛け設置の場合、専用金具のプロジェクター支持装置が必要となり、プロジェクター支持装置の設置工事を行う必要がある。しかし、プロジェクター支持装置を設置することで、容易にプロジェクターを固定することができ、また、プロジェクター支持装置には投写画面調整機構が備わっているため、比較的容易に投写画面調整が行えるため、プロジェクターの性能や機能を十分に発揮できる設置であり、使用前の準備が必要ないため、何時でも気軽に使用することが出来る設置であり、また、従来使用者の妨げとなっていた、投写面に影が映ることや投写光が目に入る等が無くなるため、快適に使用できる環境である。
しかし、プロジェクターとパソコンや映像出力機器等は複数のケーブルで接続して使用される事例が多く、天吊り設置、壁掛け設置の際には配線処理が必要となり、天井裏や壁裏での配線処理を行う場合には更に工事が必要となる場合がある。
【０００３】
また、近年主流となっている超短焦点プロジェクターには、電子黒板機能が付加される等性能や機能が向上しており、学校の授業だけでなく、企業や病院等で、電子黒板機能を使った会議や打ち合わせ、プレゼンテーション等が行われており、超短焦点プロジェクターの導入事例が増加している。
【０００４】
従来プロジェクターは大型の巻上スクリーンに投写して使用していたが、近年では映写対応ホワイトボードの普及により、映写対応ホワイトボードへの投写やマグネット式スクリーンを磁性体壁面や黒板に貼り付けて、プロジェクターを使用する事例が増加している。
【０００５】
学校、企業、病院等では、コストが安く、遮音性が高いスチールパーテーションを利用していることが多い。また、賃貸スペースの場合は、壁や天井に穿孔等の工事を行うことが出来ない場合が多い。
【先行技術文献】
【特許文献】
【０００６】
【特許文献１】特開２０１１−１１２８６４
【特許文献２】特開２０１１−１６４１４０
【発明の概要】
【発明が解決しようとする課題】
【０００７】
プロジェクターの設置方法として、プロジェクター支持装置を壁面に設置する壁掛け設置が望ましいが、設置工事には壁面への穿孔作業やビスの打ち込み作業が必要であるため、振動や騒音等が発生し、壁面に損傷痕が残るため、企業や賃貸スペース等設置工事を行えない場所や環境の場合がある。
【０００８】
また、広く使用されているスチールパーテーションは、内部が石膏ボード等で構成されているため強度不足等の問題があり、スチールパーテーションにプロジェクター支持装置の設置を行うことが出来ない。
【０００９】
平置きでの設置の場合、プロジェクターの使用毎にプロジェクターを置く机や台の準備とスペースの確保及び投写画面調整が必要となるため、時間と手間がかかる問題がある。そのため、投写画面調整を行わずに歪んだ投写画面のまま使用する事例があり、その場合、プロジェクターの機能や性能を十分に発揮した使用が行えない問題がある。
【００１０】
プロジェクター支持装置を使用し、プロジェクターを天吊り設置又は壁掛け設置行った場合、プロジェクターの可搬が出来なくなるため、複数の部屋でプロジェクターを使用する場合は、使用する部屋毎にプロジェクター支持装置の設置工事やプロジェクターを用意する必要があるため、コストアップに繋がる。また、プロジェクター支持装置の設置を行った後、投写画面の位置や、投写画面の高さの変更をするには再工事が必要となるため、手間とコストがかかる。
【００１１】
プロジェクター支持装置の設置において、プロジェクター支持装置を投写面に対して水平に設置しないと、投写画面に歪みができ、プロジェクターの性能や機能を十分に利用することができない。そのため、従来ではプロジェクター支持装置の設置工事では、レーザー墨出し器等を使用して基準線を出す作業を行う必要があるが、プロジェクター支持装置を設置する位置が高所となるため、基準線を出す作業には手間がかかる。
【００１２】
プロジェクターとパソコン等は、複数の配線で繋がっているため、投写面の妨げにならないように配線処理を行う必要があり、天井裏や壁裏に配線を通す場合、大掛かりな工事が必要となり、コストアップに繋がる。
【００１３】
プロジェクター支持装置には、統一された規格が無いため、各メーカーによって、プロジェクター支持装置の大きさ、形状等は様々である。
【００１４】
特許文献１で提案されているプロジェクターの設置方法では、簡単に脱着が可能となり、可搬は容易であるが、取付け受け部材を他の設置先に取付けておく必要があるため、設置場所が限定されてしまう。また、支持ユニットに画像調整機構がないため、投写画面の歪みを調整できない問題がある。
【００１５】
特許文献２で提案されているプロジェクターの設置方法でも、ワイヤやチェーン等の吊り下げ部材を取付けるためのフックを取付ける必要があるため、プロジェクターを使用する場所毎にフックの取付けが必要となり、手間がかかる。また、プロジェクターを可搬し設置を行う場合、プロジェクターを水平に設置するのが難しく、また、画像調整機構がないため、投写画面の歪みや傾きの調整が困難であるため、時間と手間がかかる。
【課題を解決するための手段】
【００１６】
固定装置の前面中央にベースプレート部を設け、前記ベースプレート部には、使用するプロジェクター支持装置に対応する位置に支持装置取付け孔を設け、前記固定装置の下部に水平確認孔を設け、前記水平確認孔から確認できる位置及び前記固定装置に対して水平に気泡管水平器を取付け、前記固定装置の左右側面の上部に配線溝を設け、前記固定装置の右側面の下部に取り外し部を取付け、前記固定装置の下端部の中央に滑り止めストッパーを取付け、前記固定装置の壁面側に前記配線孔及び前記支持装置取付け孔を避け、且つ前記配線孔から前記配線溝まで結束した配線を通すことが可能な間隔を空けて、プロジェクター及び前記プロジェクター支持装置を保持できる複数の磁石を取付け、前記固定装置の壁面側下部の中央部に磁石とは異なる位置に一つ又は複数のスイッチ式磁石をスイッチ部分が前記固定装置の表面に出るように取付け、前記ベースプレート部と結束した配線を通した前記プロジェクター支持装置を固定し、前記結束した配線の片側を前記配線孔に通し、一方の前記配線溝まで通し、前記配線溝に嵌めて、前記固定装置の外側に出し、磁性体壁面の任意の高さ又は投写面に対応した投写高さ及び位置に前記固定装置を設置し、前記気泡管水平器を目安に前記固定装置の左右の傾きを調整し、水平が確認できた状態で、前記スイッチ式磁石のスイッチを入れて吸着させ、前記滑り止めストッパーで固定する。取り外しは、前記スイッチ式磁石のスイッチを切り、前記取り外し部を使用して取り外す。
【００１７】
ベースプレート部は、使用するプロジェクター支持装置の形状、大きさ、取付け穴の位置及び個数に対応したベースプレート部にすることで、様々な種類のプロジェクター支持装置の取付けが可能となる。
【００１８】
配線は、編組チューブ等を利用して、複数の配線を１本に結束したものを使用し、磁性体壁面にマグネット式フック等を適宜間隔で複数取付け、投写面の妨げにならない位置まで結束した配線をマグネット式フックにかけていく。
【００１９】
スチールパーテーションの欄間部分がガラスや開口のため取付けが行えない場合は、固定装置にテーブル状の金具を固定し、その上にプロジェクターを載せることで、スチールパーテーション等の磁性体壁面の下部に設置が行える。
【発明の効果】
【００２０】
固定装置に取付けた磁石の磁気吸着力で設置を行うのでスチールパーテーション等の磁性体壁面に設置が可能となり、また、プロジェクター支持装置の設置工事が不要になるので、騒音や振動が発生することなくプロジェクター支持装置の設置が容易に行えるため、作業効率の向上とコストダウンに繋がる。
【００２１】
設置している場所から取り外して、任意の磁性体壁面の場所に可搬して再設置が可能である。また、使用場所や使用目的に応じた投写面の位置及び投写面の高さに変更することが可能である。
【００２２】
プロジェクター支持装置を使用して設置を行うので、プロジェクターの固定が容易に行え、また、プロジェクター支持装置に備わっている投写画面調整機構を使用できるため、容易に投写画面調整が可能となる。
【００２３】
使用するプロジェクター支持装置の形状、大きさ、取付け穴の位置及び個数に対応させたベースプレート部を設けることが可能なため、様々な種類のプロジェクター支持装置の固定が可能となる。
【００２４】
気泡管水平器を目安に固定装置の左右の傾きの調整を行えるため、容易に水平に設置が可能となる。
【００２５】
プロジェクターを磁性体壁面に設置した場合、操作時の振動や、ドアの開閉による振動が固定装置に伝わり、固定装置がずれて、水平を維持できなくなる可能性があるが、滑り止め防止機構を備えることで、操作時の振動やドアの開閉によるずれや下方向への滑りを防止できる。
【００２６】
固定装置の左右側面に配線溝を設けることで、設置の際に配線を壁と固定装置で押しつぶすことなく配線を固定装置から外部に出すことができるため、大掛かりな工事が必要なく、また、マグネット式フックやモール等を使用した簡易な配線処理を行うことが可能となる。
【００２７】
取り外し部は、押し圧力又は梃子の原理を用いた形状又は機構を使用し、押し圧力又は梃子の原理によって、磁石の一部が磁性体壁面から外れることで、取り外しが可能となる。
【図面の簡単な説明】
【００２８】
【図１】プロジェクター及びプロジェクター支持装置を取付けた固定装置の概略正面図
【図２】プロジェクター及びプロジェクター支持装置を取付けた固定装置の概略側面図
【図３】固定装置の概略正面図（ａ）及び固定金具の概略側面図（ｂ）
【図４】固定装置の概略背面図
【図５】固定装置のベースプレート部の変更例を示す概略正面図（ａ）及び概略側面図（ｂ）及び概略背面図（ｃ）
【図６】配線処理の実施例を示す概略正面図
【図７】プロジェクターテーブルを取付けた固定装置の概略正面図（ａ）及び概略側面図（ｂ）
【図８】プロジェクター支持装置を取り付けた固定装置の使用状態を示す概略図（ａ）及びプロジェクターテーブルを取付けた固定装置の使用状態を示す概略図（ｂ）
【発明を実施するための形態】
【００２９】
固定金具の構成
固定装置３の中央にベースプレート部９を設け、前記ベースプレート部９には、使用するプロジェクター支持装置２の取付け穴に対応する位置に支持装置取付け孔１２を設け、前記支持装置取付け孔１２の壁面側に、ナット１３が固定されており、前記ベースプレート部９の中央部には前記ベースプレート部９及び前記固定装置３を貫通する配線孔１１を設け、前記固定装置３の下部中央に、水平確認孔５を設け、前記水平確認孔５の壁面側から気泡管水平器４を前記水平確認孔５から確認できる位置及び前記固定装置３に対して水平に取付け、前記固定装置３の下端面中央に滑り止めストッパー６を設け、前記固定装置３の右側面下側に取り外し部７を設け、前記固定装置３の左右側面中央に配線溝１０を設け、前記配線孔１１、前記支持装置取付け孔１２を避け、且つ前記配線孔１１から前記配線溝１０まで結束した配線１６を通すことが可能な間隔を空け、スイッチ式磁石８と重ならない位置に磁石を複数取付け、前記固定装置３の壁面側の下部中央に前記磁石とは異なる位置に前記スイッチ式磁石８のスイッチ部分が前記固定装置３の表面に出るように一つ又は複数取付ける。
【００３０】
設置工程
結束した配線１６を通した前記プロジェクター支持装置２の取付け穴からボルト等を差込み、前記支持装置取付け孔１２を通し、前記ナット１３に締め込み、前記プロジェクター支持装置２を前記固定装置３に固定し、壁面側の前記結束した配線１６を前記配線孔１１に通し、前記固定装置３の壁面側に出し、前記磁石を避けて一方の前記配線溝１０方向に通し、前記配線溝１０に嵌めこみ、前記結束した配線１６を前記固定装置３から外側に出し、磁性体壁面の任意の高さ又はスクリーン等の投写面に投写可能な高さにあわせて磁気吸着力で取付け、前記水平確認孔５から確認できる前記気泡管水平器４を目安に前記固定装置３の左右の傾きを調整し、前記固定装置３が水平になったことを確認した後、前記スイッチ式磁石８のスイッチを入れて吸着させ、前記滑り止めストッパー６で固定し、プロジェクター１の取付け及び画像調整を行う。
【００３１】
配線は、使用状況や使用目的に合わせた配線処理を行う。使用毎に設置する場合や、可搬して使用を行う場合は、前記固定装置３から出した前記結束した配線１６を、磁性体壁面にマグネット式フック１７を適宜間隔で複数取付け、前記結束した配線１６を前記マグネット式フック１７に掛けることで、投写面１９の妨げにならない位置まで前記結束した配線１６を移動させることができる。また、常設の場合は、モール等を使用し、投写面１９の妨げにならない位置及び任意の位置まで前記結束した配線１６を移動することも可能である。また、実施例以外でも投写面１９の妨げにならない配線処理であれば、既知の配線処理で行ってもよい。
【００３２】
前記固定装置３の取り外しは、前記スイッチ式磁石８のスイッチを切り、吸着力をなくし、前記取り外し部７を使用して行う。実施例では、トグルクランプを使用しており、トグルクランプの押し圧力を利用し、磁石の一部を磁性体の壁面から離すことで、取り外すことができる。
前記取り外し部７は、トグルクランプに限定されるものではなく、押し圧力機構又は梃子の原理を利用した機構及び形状が利用できる。
【００３３】
スチールパーテーションの欄間部に開口や窓等があり、投写に必要な投写高さを確保できないため、磁性体壁面上部に設置が行えない場合は、前記固定装置３の前記ベースプレート部９とプロジェクターテーブル１８を固定し、磁性体壁面下部の任意又は投写面に対応する高さ及び位置に前記固定装置３の設置を行うことで、従来のような平置き設置での使用が可能となる。
前記プロジェクターテーブル１８には、前記支持装置取付け孔１２に対応する位置に取付け穴が穿孔してあり、前記プロジェクターテーブル１８の取付け穴からボルトを差込み、前記支持装置取付け孔１２を通し、前記ナット１３に締め込み、前記プロジェクターテーブル１８と前記固定装置３を固定し、磁性体壁面の下側の任意の場所又は投写面に対応する高さ及び位置に設置し、前記水平確認孔５から確認できる前記気泡管水平器４を目安に、前記固定装置３の左右の傾きを調整し、前記固定装置３が水平になった状態で、前記スイッチ式磁石８のスイッチを入れて吸着させ、前記滑り止めストッパー６で固定し、前記プロジェクターテーブル１８に前記プロジェクター１を載せることで投写が可能となる。
また、配線が投写面の妨げとならないため、使用の妨げにならない方法で配線処理を行ってもよい。
この設置方法の場合、磁性体壁面の下部での取付け作業となり、水平の確認が困難となるため、前記水平確認孔５及び前記気泡管水平器４を前記固定装置３の上部に取付けるのが望ましい。
この場合、平置き設置と同様の投写画面調整は必要となるが、取付けの際に高所での作業ではないので、より安全に取付け及び取り外しが可能となり、また、前記プロジェクター１を置く机や台の準備の手間がなくなる。
【００３４】
前記ベースプレート部９は使用する前記プロジェクター支持装置２に対応する形状、大きさとなり、前記支持装置取付け孔１２及び前記ナット１３は、前記プロジェクター支持装置２に予め設けられている取付け穴の位置に対応する位置及び個数を設けている。そのため、図５で示す実施例のように、前記ベースプレート部９の形状を変更することで、様々な機種の前記プロジェクター支持装置２の取付けが可能となる。
また、前記支持装置取付け孔１２の裏側に前記ナット１３を溶接等で固定しているが、前記ナット１３を固定しなくてもよい。その場合、ビス等の既知の固定方法で、前記プロジェクター支持装置２と前記固定装置３の固定を行う。
【００３５】
前記プロジェクター１及び前記プロジェクター支持装置２は、機種によって重量が異なるため、取付けを行う前記プロジェクター１と前記プロジェクター支持装置２の合計重量を十分に保持できる個数の磁石を取付ける。
使用する磁石は、キャップマグネット等磁力の強い磁石、且つビス等の取付け用の穴が穿孔されているものが望ましい。
前記スイッチ式磁石８は、スイッチ式マグネットホルダやスイッチ式マグネットベース等のスイッチの入/切で吸着力の有無を変更でき、且つ吸着力の強いものを使用する。
【００３６】
前記固定装置３に取付ける前記気泡管水平器４に限られず、指針型水平器、デジタル水平器等水平を確認できる機構であればよく、使用する水平器に応じて前記水平確認孔５の形状及び大きさにする。
また、前記水平確認孔５及び前記気泡管水平器４の位置は、前記固定装置３の下側に限られる事はなく、図７（ａ）の実施例で示すように容易に水平を確認できる位置に変更するのが望ましい。
【００３７】
操作時の振動や、ドアの開閉等による振動で前記固定装置３がずれて、水平を維持できなくなる可能性があるが、前記気泡管水平器４で水平を維持できているか確認でき、また、前記滑り止めストッパー６に設けていることで、ずれや下方向への滑りを防止できる。
前記滑り止めストッパー６は、実施例では押し圧力のあるトグルクランプを使用し、滑り止めとしているが、トグルクランプに限られず、既知の機構を用いて滑り止めとしてもよい。
【００３８】
壁面が、コンクリート等の非磁性体壁面の場合は、投写面の位置に応じたプロジェクター設置高さ及び位置の一部に鉄板や磁石等を取付けて壁面の一部を磁性体壁面とし、前記固定装置３を設置することが可能となる。
【符号の説明】
【００３９】
１    プロジェクター
２    プロジェクター支持装置
３    固定装置
４    気泡管水平器
５    水平確認孔
６    滑り止めストッパー
７    取り外し部
８    スイッチ式磁石
９    ベースプレート部
１０     配線溝
１１     配線孔
１２    支持装置取付け孔
１３    ナット
１４    磁石取付け位置例
１５    スイッチ式磁石取付け位置例
１６    結束した配線
１７    マグネット式フック
１８    プロジェクターテーブル
１９    投写面
【図１】
2014222257.tif 000003
【図２】
2014222257.tif 000004
【図３】
2014222257.tif 000005
【図４】
2014222257.tif 000006
【図５】
2014222257.tif 000007
【図６】
2014222257.tif 000008
【図７】
2014222257.tif 000009
【図８】
2014222257.tif 000010